(57)【特許請求の範囲】
【請求項１】
ミシンのアーム機枠の前壁部に操作パネルを装着し、前記アーム機枠の上方開口部に天板を装着するミシンに於けるカバー装置であって、前記アーム機枠の前壁側に配置した前記操作パネルを覆う閉鎖位置と操作パネルを目視可能に開放する開放位置の２状態となるように前記アーム機枠の前壁側上方部に回動の基端部を設けたパネルカバーと、前記アーム機枠の後壁側に回動の基端部を設けて回動自在に支持されるトップカバーであって、前記上方開口部を開放する開放位置と前記上方開口部を閉鎖すると共に、開放位置の前記パネルカバーをトップカバーの下側に収納する閉鎖位置との２状態となるように設け、該トップカバーと前記パネルカバーとを開閉可能としたことを特徴とするミシンに於けるカバー装置。
【請求項２】
ミシンのアーム機枠の前壁部に操作パネルを装着し、前記アーム機枠の上方開口部に天板を装着するミシンに於けるカバー装置であって、前記アーム機枠の前壁側に配置した前記操作パネルを覆う閉鎖位置と操作パネルを目視可能に開放する開放位置の２状態となるように前記アーム機枠の前壁側上方部に回動の基端部を設けたパネルカバーと、前記アーム機枠の後壁側に回動の基端部を設けて回動自在に支持されるトップカバーであって、前記上方開口部を開放する開放位置と前記上方開口部を閉鎖すると共に、開放位置の前記パネルカバーをトップカバーの下側に収納する閉鎖位置との２状態となるように設け、該トップカバーと前記パネルカバーとを開閉可能とすると共に、前記トップカバーの閉鎖位置の状態でトップカバーが当接して高さ位置を支持する支持部を設けて、前記パネルカバーの開放位置と閉鎖位置に係わらず前記トップカバーの高さが一定に支持されるようにしたことを特徴とするミシンに於けるカバー装置。
【発明の詳細な説明】
【０００１】
【発明の属する技術分野】
本発明はミシンに於けるカバー装置に関するものである。
【０００２】
【従来の技術】
従来のミシンのカバー装置即ちミシンの天板の主たる目的とするところはミシンの上方機構部を覆うものであり、更にその覆い部の一部又は全部の概ね平板状に形成された部分（トップカバー）が開閉可能な如くに取り付けられ、該開閉可能な平板部は数種類の布押え具などの付属部品や予備のボビンを収納する付属品収納部を覆い、該付属品収納部の蓋の役割をするのみであり、他の部分をカバーするものものはなかった。
【０００３】
【発明が解決しようとする課題】
従来のカバー装置では、機枠上部のみを覆うものであり、近年選択すべき模様数が増加することにより、機枠前壁には模様の表示部が設けられて操作パネルとなっている。この操作パネルにおける表示は、使用する場合は視認性の点で優れているが、不使用時にはミシン外観の全体のデザインを支配的にするという問題があった。このため、不使用時には操作パネルを覆ってミシン全体の外観をシンプルに見せることが望まれていた。
【０００４】
本発明はコンピュータ制御によるシグザグミシンのカバー装置に関するものであり、ミシンの上方機構部を覆うと共に付属品収納部を覆う為の開閉式のトップカバーを備え、更にミシン機枠の前壁に配設された液晶などによるディスプレイや選択ボタンなどを含む操作部からなる操作パネルを覆って保護するパネルカバーを備え、ミシン使用時にはまず第１にミシン機枠前壁の操作パネルを覆う前記パネルカバーを開放し前記操作パネルを露出せしめて使用可能に供し、第２に縫製の用途に応じて付属品の布押え具や予備のボビンの取り出しが必要な時には前記トップカバーを開けることが出来、又第３にミシン不使用時には前記トップカバーを閉じて付属品収納部を覆い更に前記パネルカバーを閉じてミシン機枠前壁に配設の操作パネルを覆って、操作パネルを保護すると共にミシンの外観のデザインを簡素化しようとすることを目的とする。
【０００５】
【課題を解決するための手段】
本発明は、ミシンのアーム機枠の前壁部に操作パネルを装着し、前記アーム機枠の上方開口部に天板を装着するミシンに於けるカバー装置であって、前記アーム機枠の前壁側に配置した前記操作パネルを覆う閉鎖位置と操作パネルを目視可能に開放する開放位置の２状態となるように前記アーム機枠の前壁側上方部に回動の基端部を設けたパネルカバーと、前記アーム機枠の後壁側に回動の基端部を設けて回動自在に支持されるトップカバーであって、前記上方開口部を開放する開放位置と前記上方開口部を閉鎖すると共に、開放位置の前記パネルカバーをトップカバーの下側に収納する閉鎖位置との２状態となるように設け、該トップカバーと前記パネルカバーとを開閉可能としたことを特徴とするミシンに於けるカバー装置としたことで、課題を解決した。
また、ミシンのアーム機枠の前壁部に操作パネルを装着し、前記アーム機枠の上方開口部に天板を装着するミシンに於けるカバー装置であって、前記アーム機枠の前壁側に配置した前記操作パネルを覆う閉鎖位置と操作パネルを目視可能に開放する開放位置の２状態となるように前記アーム機枠の前壁側上方部に回動の基端部を設けたパネルカバーと、前記アーム機枠の後壁側に回動の基端部を設けて回動自在に支持されるトップカバーであって、前記上方開口部を開放する開放位置と前記上方開口部を閉鎖すると共に、開放位置の前記パネルカバーをトップカバーの下側に収納する閉鎖位置との２状態となるように設け、該トップカバーと前記パネルカバーとを開閉可能とすると共に、前記トップカバーの閉鎖位置の状態でトップカバーが当接して高さ位置を支持する支持部を設けて、前記パネルカバーの開放位置と閉鎖位置に係わらず前記トップカバーの高さが一定に支持されるようにしたことを特徴とするミシンに於けるカバー装置、課題を解決した。
【０００６】
【作用】
ミシン使用時には前記パネルカバーがミシン操作や外観に障害となることがなく上方に回転してトップカバーの下方に収納され、ミシン不使用時には操作パネルを覆う位置に回動されて操作パネルを保護すると共に、いずれの状態でも、トップカバーの閉鎖状態位置が不変でミシンのデザイン上の変化を生じることなく、不使用状態のデザインの向上を図ることができる。
【０００７】
【発明の実施の形態】
本発明の実施の形態について、図面を参照して詳細に説明する。ミシン機枠１はアーム機枠２とベッド機枠３とより構成されている。アーム機枠２内には駆動軸（図示せず）が回転自在に支持され、該駆動軸の回転によりアーム機枠２の左方端部に装着される針棒機構が駆動されると下端にミシン針５が固着される針棒４が横方向に振幅運動されると共に上下方向に往復運動せしめられる。ベッド機枠３の適宜の位置の上面には針板６が固着され該針板の下方には糸輪捕捉機構及び布送り機構（いずれも図示せず）が配設され該両機構は駆動軸の回転に連動され、糸輪捕捉機構は針棒機構の上下運動との協働により縫い目を形成し、布送り機構は被縫製物を移動させる。
【０００８】
前記アーム機枠２の上面は開口されており、該開口部には天板７が装着されて開口部を覆っている。又、アーム機枠２の前壁には模様及び機能の選択操作部８や選択された模様及び機能が表示されるディスプレィ９などが設けられる操作パネル１０が装着されている。（図２参照）
【０００９】
アーム機枠２の後壁１１側に軸１２が支持されており、該軸を基端部として回動自在で天板７の上方を閉鎖する閉鎖位置と開放する開放位置との２位置に開閉するトップカバー１３が装着されている。
天板７に付属品収容部１４が設けられている。操作パネル１０の上方のアーム機枠前壁側に軸１５が支持されており、該軸を基端部として回動自在で操作パネル１０を覆う閉鎖位置と該操作パネルを目視可能に開放する開放位置との２位置に開閉するパネルカバー１６が装着されている。（図３〜図６参照）
トップカバー１３の裏面部及び前記アーム機枠２の前壁側の上方平坦部のそれぞれには付属品収容部１４内に収容されている付属品の適正配置を示す配置図或いは糸通しの案内図などを示すことが可能な情報記載部として使用する部分１７、１７が設けられている。（図５参照）
【００１０】
パネルカバー１６は上方に回動されたときトップカバー１３の下側に収容するようになっており、該トップカバーの閉じられた状態の高さは、下側にパネルカバー１６がある場合とない場合のいずれであってもアーム機枠２に対する高さが同じと成るように、パネルカバー１６の一部又は機枠２の一部には閉鎖位置のトップカバー１３が当接して支持する支持部１３ａ等が設けられている。
【００１１】
本発明の一実施例の構造は以上の如きであって、作用は次の通りである。ミシンの使用時に於いて、前記操作パネル１０を開披する場合は図５に示す如く、まずトップカバー１３を軸１２を中心として回動して開放し、パネルカバー１６を軸１５を中心として上方に回動して開放位置とした後、トップカバー１３を下方に回動して閉鎖位置とする。この状態に於けるトップカバー１３の高さが図３に示すパネル１０を閉鎖位置としてカバーする状態と同じ高さになるように、トップカバーが当接するパネルカバー１６の一部の当接位置を形成する。この当接位置はアーム機枠２側に設けた当接部としてその高さを管理決定するものも有効である
【００１２】
更に付属品収容部１４より付属品を取り出す場合及び前記トップカバー１３の裏面に設けられた情報記載部１７を利用する場合は図５及び図６に示す如くトップカバー１３を軸１２を中心として回動させた開放位置とすることにより付属品収容部１４が開披されるので、該付属品収容部より付属品を取り出すことや情報記載部の閲覧が可能となる。
【００１３】
又ミシンの不使用時に於いて、トップカバー１３にて付属品収容部１４を覆い、パネルカバー１６にて操作パネル１０を覆うことができるのでミシン不使用時に於いて発生し易い埃による汚れや他の物品が当たって生じる傷の発生を防ぐことが出来る。
【００１４】
【効果】
本発明は以上の如き構造及び作用をなすものであるから、トップカバーにより付属品収容部を開閉すると共にパネルカバーにより操作パネルを開閉することが可能になったので、ミシンの使用時における付属品収容部及び操作パネルを開披することが可能であり、ミシンの不使用時における付属品収容部及び操作パネルを隠蔽することも可能となったのでミシン使用時の付属品収容部や操作パネルの利用は便利であり、ミシン不使用時の付属品収容部や操作パネルに対する保護が確実になると共に操作パネルに対してカバーを設けたことによりデザイン上の面で簡素なイメージを与えることも可能となり、実用上及び外観上に他と異なる特徴を付与するものとして効果大なるものである。
【図面の簡単な説明】
【図１】    本発明を装着したミシンの外観図、
【図２】    本発明のパネルカバーを収納した状態を示すミシンの外観図、
【図３】    本発明を装着したミシンの要部断面図、
【図４】    本発明のパネルカバーを回動し操作パネルを開披した状態の要部断面図、
【図５】    本発明のトップカバーを回動し内部を開披した状態の要部断面図、
【図６】    本発明のカバーの全てを回動し内部を開披した状態の要部断面図。
【符号の説明】
２…アーム機枠
７…天板
１０…操作パネル
１２…基端部
１３…トップカバー
１４…付属品収容部
１６…パネルカバー
【図１】
0003947250.tif 000002
【図２】
0003947250.tif 000003
【図３】
0003947250.tif 000004
【図４】
0003947250.tif 000005
【図５】
0003947250.tif 000006
【図６】
0003947250.tif 000007